(57)【要約】      （修正有）【課題】エレベータかごにトランクを設けることなく、ペットが同乗することにより人に不安を感じさせることをなくすことができるかまたは少なくでき、かつ、ペットが乗っていない場合に人が乗る空間を広くできるペット隔離用移動部材付エレベータの提供。【解決手段】エレベータかご１０に２個のガイドレール１８，２０を設ける。エレベータかご１０の外側部分に配置され、ガイドレール１８，２０に沿って移動可能な移動仕切り１２を設ける。ガイドレール１８，２０に沿って移動仕切り１２を引き下ろすことにより、エレベータかご１０の内側にエレベータかご１０の壁面と移動仕切り１２とで仕切られるペット収納室１４の形成を可能とする。【選択図】図２
2008037577.tif 000002
【特許請求の範囲】
【請求項１】
エレベータかごと、
エレベータかごに設けられたガイド部と、
エレベータかごの外側部分またはエレベータかごの内側の壁面に沿った部分に配置され、ガイド部に沿って移動可能なペット隔離用移動部材とを備え、
ガイド部に沿ってペット隔離用移動部材を移動させることにより、エレベータかごの内側にエレベータかごの壁面とペット隔離用移動部材とで仕切られるペット収納室の形成を可能とすることを特徴とするペット隔離用移動部材付エレベータ。
【請求項２】
請求項１に記載のペット隔離用移動部材付エレベータにおいて、
ガイド部はガイドレールであり、
ペット隔離用移動部材は、複数本の仕切りバーと、複数本の仕切りバーの隣り合う２本の仕切りバーの端部同士に掛け渡した連結部材とを備え、複数本の仕切りバーの端部で連結部材から外れた部分をガイドレールに沿って移動可能とすることを特徴とするペット隔離用移動部材付エレベータ。
【請求項３】
請求項２に記載のペット隔離用移動部材付エレベータにおいて、
ガイドレールは、エレベータかごの奥側壁部に設けられた奥側孔部の両端部を通じて、エレベータかごの外側と内側とに跨ぐように２個設けられており、
ガイドレールのエレベータかご内側部分は、エレベータかごを構成する２個の横壁部の内側面に、奥側孔部の端部から乗降口側の奥側孔部よりも下側位置に連続するように設けられており、
ペット隔離用移動部材は、複数本の水平方向の仕切りバーと、複数本の仕切りバーの隣り合う２本の仕切りバーの端部同士に掛け渡した連結部材とを備え、複数本の仕切りバーの端部の連結部材から外れた部分をガイドレールのエレベータかご内側部分に沿って引き下ろすことにより、エレベータかごの奥側にペット収納室の形成を可能とすることを特徴とするペット隔離用移動部材付エレベータ。
【請求項４】
請求項２または請求項３に記載のペット隔離用移動部材付エレベータにおいて、
エレベータかごの壁面とガイドレールとの少なくとも一方に係止孔を設けており、
仕切りバーに仕切りバーの端部からの伸縮を可能に設けられたロックバーを係止孔に挿入することにより、ペット隔離用移動部材のガイドレールに沿う移動が阻止されることを特徴とするペット隔離用移動部材付エレベータ。
【請求項５】
請求項４に記載のペット隔離用移動部材付エレベータにおいて、
仕切りバーにシリンダ錠を設けるとともに、シリンダ錠の内筒の回転と仕切りバーの端部からのロックバーの伸縮とを連動させており、シリンダ錠に鍵をかけることによりロックバーを仕切りバーの端部から伸長させ、係止孔にロックバーを挿入することを特徴とするペット隔離用移動部材付エレベータ。
【請求項６】
請求項４または請求項５に記載のペット隔離用移動部材付エレベータにおいて、
各階の乗降口周辺部に設けられたペット同乗中確認装置と、係止孔にロックバーを挿入することに伴って作動するスイッチとを備え、スイッチの作動により各階のペット同乗中確認装置を点灯または表示させることを特徴とするペット隔離用移動部材付エレベータ。
【発明の詳細な説明】
【技術分野】
【０００１】
本発明は、エレベータかごと、エレベータかごに設けられたガイド部と、ガイド部に沿って移動可能なペット隔離用移動部材とを備えるペット隔離用移動部材付エレベータに関する。
【背景技術】
【０００２】
近年のペットブーム等により、住宅マンションにおいてペットの同居を認める場合が増えてきている。これに伴って、エレベータ付の多層階のマンションで、エレベータに人とペットとが同乗することが考えられる。このようなペットの同居を認めているエレベータ付マンションの場合、ペット連れの人がエレベータかごに乗ろうとした場合に、先に乗っているペット同乗者と出くわすと、ペット同士が鉢合わせする可能性がある。
【０００３】
このような事情から、特許文献１に記載されたペット対応型マンション用エレベータの場合、各階の乗降口周辺部にペット同乗表示ランプを設けるとともに、エレベータかごのコントロールパネルに設けたペット同乗表示用ボタンを押すことで、各階のペット同乗表示ランプを点灯させるようにし、エレベータ乗降口の周辺部にいる人にペットが同乗していることを知らせるようにしている。
【０００４】
【特許文献１】特開２００１−３２２７７５号公報
【非特許文献１】発明協会公開技報公技番号２００２−４５８７号
【発明の開示】
【発明が解決しようとする課題】
【０００５】
上記の特許文献１に記載されたエレベータの場合、ペットがエレベータかごに同乗している場合に後から乗り込む人がペット同乗表示ランプを見過ごして、ペットが乗っているエレベータかごに後から同乗する可能性がある。このような場合、ペットが人と隔離されていないと、人によっては不安を感じる可能性がないとはいえない。
【０００６】
これに対して、非特許文献１に記載されたペット用トランク付エレベータの場合、トランク付のエレベータを利用して、トランクの内側に柵を設けるとともに、柵の一部をトランクの扉としている。そしてペットをトランクの内側で柵によって仕切られた空間に収納できるようにしている。このような非特許文献１に記載されたエレベータによれば、ペット運搬者がペットをトランクの内側に収納して、後から別の人が同乗しても別の人に不安感を与えることを防止または少なくできる。
【０００７】
ただし、非特許文献１に記載されたペット用トランク付エレベータをトランクが付いていないエレベータかごに採用しようとすると、トランクを新たに設ける必要があり、エレベータの構造上採用が難しくなる可能性がある。また、トランクが付いていないエレベータかごに、移動不可能なペット用檻を設けて、ペット用檻で仕切られたペット隔離用空間を設けておくことも考えられるが、この場合にはエレベータかごにペットを乗せない場合にまでペット隔離用空間が形成されてしまい、エレベータかごにおいて人が乗れる空間が狭くなる。
【０００８】
本発明の目的は、エレベータかごにトランクを設けることなく、ペットが同乗することにより人に不安を感じさせることをなくすことができるかまたは少なくでき、かつ、ペットが乗っていない場合に人が乗る空間を広くできるペット隔離用移動部材付エレベータを提供することを目的とする。
【課題を解決するための手段】
【０００９】
本発明に係るペット隔離用移動部材付エレベータは、エレベータかごと、エレベータかごに設けられたガイド部と、エレベータかごの外側部分またはエレベータかごの内側の壁面に沿った部分に配置され、ガイド部に沿って移動可能なペット隔離用移動部材とを備え、ガイド部に沿ってペット隔離用移動部材を移動させることにより、エレベータかごの内側にエレベータかごの壁面とペット隔離用移動部材とで仕切られるペット収納室の形成を可能とすることを特徴とするペット隔離用移動部材付エレベータである。
【００１０】
また、好ましくは、ガイド部はガイドレールとし、ペット隔離用移動部材は、複数本の仕切りバーと、複数本の仕切りバーの隣り合う２本の仕切りバーの端部同士に掛け渡した連結部材とを備え、複数本の仕切りバーの端部で連結部材から外れた部分をガイドレールに沿って移動可能とする。
【００１１】
また、より好ましくは、ガイドレールは、エレベータかごの奥側壁部に設けられた奥側孔部の両端部を通じて、エレベータかごの外側と内側とに跨ぐように２個設け、ガイドレールのエレベータかご内側部分は、エレベータかごを構成する２個の横壁部の内側面に、奥側孔部の端部から乗降口側の奥側孔部よりも下側位置に連続するように設け、ペット隔離用移動部材は、複数本の水平方向の仕切りバーと、複数本の仕切りバーの隣り合う２本の仕切りバーの端部同士に掛け渡した連結部材とを備え、複数本の仕切りバーの端部の連結部材から外れた部分をガイドレールのエレベータかご内側部分に沿って引き下ろすことにより、エレベータかごの奥側にペット収納室の形成を可能とする。
【００１２】
また、より好ましくは、エレベータかごの壁面とガイドレールとの少なくとも一方に係止孔を設け、仕切りバーに仕切りバーの端部からの伸縮を可能に設けられたロックバーを係止孔に挿入することにより、ペット隔離用移動部材のガイドレールに沿う移動が阻止されるようにする。
【００１３】
また、より好ましくは、仕切りバーにシリンダ錠を設けるとともに、シリンダ錠の内筒の回転と仕切りバーの端部からのロックバーの伸縮とを連動させ、シリンダ錠に鍵をかけることによりロックバーを仕切りバーの端部から伸長させ、係止孔にロックバーを挿入する。
【００１４】
また、より好ましくは、各階の乗降口周辺部に設けられたペット同乗中確認装置と、係止孔にロックバーを挿入することに伴って作動するスイッチとを備え、スイッチの作動により各階のペット同乗中確認装置を点灯または表示させる。
【発明の効果】
【００１５】
本発明に係るペット隔離用移動部材付エレベータによれば、ペット隔離用移動部材を移動させることにより、エレベータかごの内側にエレベータかごの壁面とペット隔離用移動部材とで仕切られるペット収納室を形成するため、ペット収納室にペットを収納することにより、ペットが同乗することにより人に不安を感じさせることをなくすことができるかまたは少なくできる。しかも、上記の非特許文献１に記載されたペット用トランク付きエレベータの場合と異なり、エレベータかごにトランクを設ける必要がない。しかも、エレベータかごにペットが乗っていない場合に、ペット隔離用移動部材をエレベータかごの外側部分またはエレベータかごの内側の壁面に沿った部分に移動させることにより、人が乗る空間を広くできる。
【００１６】
また、ガイド部はガイドレールとし、ペット隔離用移動部材は、複数本の仕切りバーと、複数本の仕切りバーの隣り合う２本の仕切りバーの端部同士に掛け渡した連結部材とを備え、複数本の仕切りバーの端部で連結部材から外れた部分をガイドレールに沿って移動可能とする構成によれば、ペット隔離用移動部材の軽量化を図れる。
【００１７】
また、ガイド部はガイドレールとし、ペット隔離用移動部材は、複数本の仕切りバーと、複数本の仕切りバーの隣り合う２本の仕切りバーの端部同士に掛け渡した連結部材とを備え、複数本の仕切りバーの端部で連結部材から外れた部分をガイドレールに沿って移動可能とする構成において、エレベータかごの壁面とガイドレールとの少なくとも一方に係止孔を設け、仕切りバーに仕切りバーの端部からの伸縮を可能に設けられたロックバーを係止孔に挿入することにより、ペット隔離用移動部材のガイドレールに沿う移動が阻止される構成によれば、ペット運搬者が意図することなく、ペット隔離用移動部材がガイドレールに沿って移動することを防止できる。
【００１８】
また、ガイド部はガイドレールとし、ペット隔離用移動部材は、複数本の仕切りバーと、複数本の仕切りバーの隣り合う２本の仕切りバーの端部同士に掛け渡した連結部材とを備え、複数本の仕切りバーの端部で連結部材から外れた部分をガイドレールに沿って移動可能とし、エレベータかごの壁面とガイドレールとの少なくとも一方に係止孔を設け、仕切りバーに仕切りバーの端部からの伸縮を可能に設けられたロックバーを係止孔に挿入することにより、ペット隔離用移動部材のガイドレールに沿う移動が阻止される構成において、仕切りバーにシリンダ錠を設けるとともに、シリンダ錠の内筒の回転と仕切りバーの端部からのロックバーの伸縮とを連動させており、シリンダ錠に鍵をかけることによりロックバーを仕切りバーの端部から伸長させ、係止孔にロックバーを挿入する構成によれば、シリンダ錠に鍵をかけることにより、ペット隔離用移動部材のガイドレールに沿う移動を阻止できる。
【００１９】
また、ガイド部はガイドレールとし、ペット隔離用移動部材は、複数本の仕切りバーと、複数本の仕切りバーの隣り合う２本の仕切りバーの端部同士に掛け渡した連結部材とを備え、複数本の仕切りバーの端部で連結部材から外れた部分をガイドレールに沿って移動可能とし、エレベータかごの壁面とガイドレールとの少なくとも一方に係止孔を設け、仕切りバーに仕切りバーの端部からの伸縮を可能に設けられたロックバーを係止孔に挿入することにより、ペット隔離用移動部材のガイドレールに沿う移動が阻止される構成において、各階の乗降口周辺部に設けられたペット同乗中確認装置と、係止孔にロックバーを挿入することに伴って作動するスイッチとを備え、スイッチの作動により各階のペット同乗中確認装置を点灯または表示させる構成によれば、エレベータかごにペットが乗っていることを各階の乗降口の周辺部にいる人が確認できる。しかも、上記の特許文献１に記載されたペット対応型マンション用エレベータの場合と異なり、ペットの運搬者がペットがエレベータかごに同乗していることを知らせるために、ペット隔離用移動部材の移動とは別に、エレベータかごのコントロールパネルに設けたペット同乗表示用ボタンを押す等、コントロールパネルを操作する必要がない。
【発明を実施するための最良の形態】
【００２０】
以下において、図面を用いて本発明に係る実施の形態につき詳細に説明する。図１から図６は、本発明の実施の形態のペット隔離用移動部材付エレベータを示している。図１は、エレベータかご１０の内側から外側にペット隔離用移動部材である、シャッター状の移動仕切り１２を退避させた状態を一部を透視して示す略斜視図であり、図２は、エレベータかご１０の内側に移動仕切り１２を引き下ろし、ペット収納室１４にペット１６を収納した状態を一部を透視して示す略斜視図である。
【００２１】
図１に示すように、本実施の形態のペット隔離用移動部材付エレベータは、図示しない昇降路内において昇降可能なエレベータかご１０と、エレベータかご１０に設けたガイド部である２個のガイドレール１８，２０と、エレベータかご１０の外側部分に配置され、ガイドレール１８，２０に沿って移動可能な移動仕切り１２とを備える。
【００２２】
エレベータかご１０は、奥側壁部２２と２個の横壁部２４，２６とで三方を仕切っており、開口側（図１，２の表側）に図示しない乗降口を設けている。奥側壁部２２の高さ方向中間部に、貫通した水平方向の奥側孔部２８を設けている。また、エレベータかご１０の下部に底板部２９を設けている。
【００２３】
２個のガイドレール１８，２０のそれぞれは、図３にガイドレール１８で代表して詳しく示すように、側板部３０の両端部から２本の突壁部３２を同方向（図３の表方向）に突出させることにより、断面形状を、矩形の一端を開口させた形状としている。そして、２個のガイドレール１８，２０の全体を、Ｕを逆にしたような形状に形成するとともに、エレベータかご１０に設けた奥側孔部２８の端部にガイドレール１８，２０の中間部を挿入し、エレベータかご１０の外側と内側とを跨ぐようにエレベータかご１０にガイドレール１８，２０を固定している。
【００２４】
また、ガイドレール１８，２０のエレベータかご１０内側部分は、エレベータかご１０の２個の横壁部２４，２６の内側面（エレベータかご１０内側に向いた面）に、奥側孔部２８の端部から乗降口側（図１，２の表側、図３の右側）の奥側孔部２８よりも下側位置の底板部２９付近に略円弧形に連続するように形成している。そして、ガイドレール１８，２０のエレベータかご１０内側部分の下端を、エレベータかご１０の底板部２９上面に突き当てている。なお、ガイドレール１８，２０のエレベータかご１０内側部分の下端を底板部２９上面に突き当てず、ガイドレール１８，２０のエレベータかご１０内側部分の下端開口を塞ぐ塞ぎ部を、ガイドレール１８，２０と一体に設けることもできる。
【００２５】
また、ガイドレール１８，２０のエレベータかご１０外側部分は、上部にエレベータかご１０の奥側壁部２２から離れる方向に湾曲した湾曲部３４（図３）を設けるとともに、中間部を奥側壁部２２の外側面（エレベータかご１０外側に向いた面で、図３の左側面）に沿わせて、下部をエレベータかご１０の底板部２９の下面から下方に突出させている。また、ガイドレール１８，２０のエレベータかご１０外側部分の下端開口を塞ぐ塞ぎ部３６を、ガイドレール１８，２０と一体に設けている。
【００２６】
一方、図１に示すように、エレベータかご１０の外側部分に、ガイドレール１８，２０に沿ってエレベータかご１０の外側部分と内側部分とに移動可能な移動仕切り１２を設けている。移動仕切り１２は、図２、図３に示すように、水平方向の円管状のロック用仕切りバー３８と、複数本の水平方向の円管状の仕切りバー４０と、複数本の仕切りバー３８，４０の両端部で、隣り合う２本の仕切りバー３８，４０の端部同士に掛け渡した連結部材４２とを備える。連結部材４２は、図４に一部を拡大して示すように、中間幹部４４の両端部にリング部４６を結合している。なお、中間幹部４４とリング部４６とを、球面状の突部と球面状の孔部等から成るユニバーサル継手（自在継手）により結合することもできる。
【００２７】
そして、仕切りバー３８，４０の端部のそれぞれに２個の固定リング４８を嵌合固定するとともに、移動仕切り１２の両端の２個の仕切りバー３８，４０を除く、仕切りバー４０の端部において、２個の固定リング４８（図４参照）の間のそれぞれに、２個の連結部材４２のリング部４６を緩く嵌合させている。仕切りバー４０の同じ端部にリング部４６を嵌合させた２個の連結部材４２は、仕切りバー４０と隣り合い、２個の連結部材４２同士で別の仕切りバー３８，４０に、別のリング部４６を緩く嵌合させている。したがって、移動仕切り１２の両端の２個の仕切りバー３８，４０の端部において、２個の固定リング４８の間のそれぞれに、１個の連結部材４２のリング部４６が緩く嵌合される。
【００２８】
また、仕切りバー３８，４０の端部において、固定リング４８および連結部材４２よりもさらに端側の部分をガイドレール１８，２０の突壁部３２同士の間に挿入し、ガイドレール１８，２０により仕切りバー３８，４０の移動を案内している。
【００２９】
移動仕切り１２は、図３の矢印イで示す引き出し方向への移動と、図３の矢印ロで示す退避方向への移動とを可能としている。移動仕切り１２が引き出し方向に移動する場合、下端のロック用仕切りバー３８が底板部２９の上面、またはガイドレール１８，２０のエレベータかご１０内側部分の端部に設けた塞ぎ部（図示せず）に突き当たることで、移動仕切り１２の下方への移動が阻止される。また、移動仕切り１２が退避方向に移動する場合、下端の仕切りバー４０がガイドレール１８，２０のエレベータかご１０外側部分の端部に設けた塞ぎ部３６に突き当たることで、移動仕切り１２の下方への移動が阻止される。
【００３０】
さらに、２個のガイドレール１８，２０の一方（図１，２，４の右方）のガイドレール１８と、エレベータかご１０の横壁部２４とにおいて、図４に示すように、側板部３０のエレベータかご１０内側部分の上端部と、横壁部２４のこの上端部と対向する位置とに、第１上側係止孔５０と第２上側係止孔５２とを設けている。また、図１に示すように、一方のガイドレール１８とエレベータかご１０の横壁部２４とにおいて、側板部３０のエレベータかご１０内側部分の下端部と、横壁部２４のこの下端部と対向する位置とに、第１下側係止孔５４（図１）と図示しない第２下側係止孔とを設けている。
【００３１】
また、移動仕切り１２の一端（図１の上端、図２、図３の下端）に位置するロック用仕切りバー３８の内側に、図４から図６に示すように、ロックバー５６を挿入支持するとともに、ロックバー５６の移動仕切り１２の長さ方向の変位を可能としている。ロックバー５６の一端（図４の右端）は、ロック用仕切りバー３８の端部から出入可能である。また、ロックバー５６の中間部に板部５８を設けるとともに、板部５８のロック用仕切りバー３８の長さ方向略中央部に対応する部分の側面に、凹部６０を設けている。
【００３２】
一方、ロック用仕切りバー３８の長さ方向略中央部に、長さ方向に対し直交する方向にシリンダ錠６２を結合している。シリンダ錠６２は、外筒６４の内側に内筒６６を設けており、図示しない対応する鍵を内筒６６の内側に設けた鍵口６８に入れた場合にだけ内筒６６の回転を可能としている。また、ロック用仕切りバー３８の中間部内側にカム部材７０（図５、図６）を揺動変位可能に支持するとともに、カム部材７０に固定した歯車７２と、内筒６６の仕切りバー３８内側部分に固定した歯車７４とを噛合させている。また、カム部材７０の先端部に設けたカム部７６と、ロックバー５６に設けた凹部６０とを係合させている。
【００３３】
この構成により、内筒６６が回転すると、歯車７２，７４の回転に伴ってカム部材７０が揺動し、カム部７６と凹部６０とのカム係合により、ロックバー５６が仕切りバー３８の一端（図１，２，４の右端）から出入する。
【００３４】
図１、図４に示すように、ロック用仕切りバー３８が移動仕切り１２の最上端に位置する場合に、ロックバー５６の端部がロック用仕切りバー３８の一端から伸長すると、ロックバー５６の端部は第１上側係止孔５０および第２上側係止孔５２に挿入される。また、ロック用仕切りバー３８が、図２に示すように最下端に位置する場合に、ロックバー５６の端部がロック用仕切りバー３８の一端から伸長すると、ロックバー５６の端部は第１下側係止孔５４（図１）および第２下側係止孔に挿入される。
【００３５】
なお、シリンダ錠６２の内筒６６に直接カム部材７０を固定し、カム部材７０のカム部７６をロックバー５６の凹部６０に係合させることにより、内筒６６に固定した歯車７４とカム部材７０に固定した歯車７２とを省略することもできる。
【００３６】
また、ロック用仕切りバー３８の中間部のシリンダ錠６２を挟む両側２個所位置に把手７８を設けている。把手７８は、図５に示すように、人が手で容易に掴めるようにするための孔部８０を設けている。
【００３７】
さらに、２個の横壁部２４，２６の一方（図１，２，４の右方）の横壁部２４において、第１下側係止孔５４（図１）および第２下側係止孔と整合する位置に、マイクロスイッチ等のスイッチ８２を設けるとともに、エレベータの図示しない各階の乗降口周辺部にペット同乗中確認装置である、ペット同乗中確認点灯部（図示せず）を設けている。そして、スイッチ８２の作動により各階のペット同乗中確認点灯部が点灯し、スイッチ８２の非作動によりペット同乗中確認点灯部が消灯するように、スイッチ８２とペット同乗中確認点灯部とを電気回路部により接続している。
【００３８】
また、ロックバー５６の端部がロック用仕切りバー３８の一端から伸長し、第１下側係止孔５４および第２下側係止孔に挿入された状態で、ロックバー５６の端部によりスイッチ８２の押圧部が押されてスイッチ８２が作動するようにしている。このように、スイッチ８２の作動に連動してペット同乗中確認点灯部の点灯を可能とし、エレベータかご１０にペットが乗っていることを各階の乗降口周辺部にいる人に知らせるようにしている。
【００３９】
このようなペット隔離用移動部材付エレベータを使用してペット運搬者がペットを同乗させる場合、まず、図１に示すように、エレベータかご１０外側に移動仕切り１２が退避した状態で、ペット運搬者がシリンダ錠６２に対応する鍵を持って、エレベータかご１０に乗り込む。次に、鍵によりシリンダ錠６２を開錠して、すなわち、内筒６６（図５、図６）を一方向（図６の矢印ハ方向）に回転させて、ロックバー５６を図４から図６の左方に変位させ、第１上側係止孔５０および第２上側係止孔５２から抜き出させる。この状態で、移動仕切り１２のガイドレール１８，２０に沿った移動が可能となる。そして、ペット運搬者が、エレベータかご１０の奥部の図１で斜格子で示すペットゾーンに犬等のペット１６（図２）を移動させた状態で、把手７８を掴み、図２に示すように移動仕切り１２を引き下ろす。
【００４０】
移動仕切り１２を引き下ろした状態で、エレベータかご１０の内側に、エレベータかご１０の横壁部２４，２６の壁面と移動仕切り１２とで仕切られるペット収納室１４が形成される。また、移動仕切り１２を引き下ろした状態で、鍵によりシリンダ錠６２を施錠して、すなわち、内筒６６（図５、図６）を他方向（図６の矢印ハと逆方向）に回転させて、ロックバー５６をロック用仕切りバー３８の一端から伸張させ、伸張させたロックバー５６の端部を第１下側係止孔５４（図１）および第２下側係止孔に挿入する。これにより、移動仕切り１２のガイドレール１８，２０に沿った移動が阻止され、移動仕切り１２が開かなくなる。
【００４１】
また、ロックバー５６がスイッチ８２の押圧部を押すことで、スイッチ８２が作動して、各階の乗降口周辺部に設けたペット同乗中確認点灯部が点灯する。
【００４２】
このような本実施の形態のペット隔離用移動部材付エレベータによれば、移動仕切り１２を移動させることにより、エレベータかご１０の内側にエレベータかご１０の壁面と移動仕切り１２とで仕切られるペット収納室１４の形成を可能とするため、ペット収納室１４にペット１６を収納することにより、ペット１６が同乗することにより人に不安を感じさせることをなくすことができるかまたは少なくできる。しかも、上記の非特許文献１に記載されたペット用トランク付エレベータの場合と異なり、エレベータかご１０にトランクを設ける必要がなく、トランクのないエレベータかご１０に本実施の形態の構造を容易に採用できる。しかも、エレベータかご１０にペット１６が乗っていない場合に、移動仕切り１２をエレベータかご１０の外側部分に退避させることにより、人が乗る空間を広くできる。
【００４３】
また、移動仕切り１２は、複数本の仕切りバー３８，４０と、複数本の仕切りバー３８，４０の隣り合う２本の仕切りバー３８，４０の端部同士に掛け渡した連結部材４２とを備え、複数本の仕切りバー３８，４０の端部で連結部材４２から外れた部分をガイドレール１８，２０に沿って移動可能とするため、移動仕切り１２の軽量化を図れる。
【００４４】
また、ガイドレール１８，２０とエレベータかご１０の壁面とに、第１上側係止孔５０および第１下側係止孔５４と第２上側係止孔５２および第２上側係止孔とを設け、ロック用仕切りバー３８に仕切りバー３８の端部からの伸縮を可能に設けられたロックバー５６を各係止孔５０，５４，５２に挿入することにより、移動仕切り１２のガイドレール１８，２０に沿う移動が阻止されるようにしている。このため、ペット運搬者が意図することなく、移動仕切り１２がガイドレール１８，２０に沿って移動して開閉されることを防止できる。
【００４５】
また、ロック用仕切りバー３８にシリンダ錠６２を設けるとともに、シリンダ錠６２の内筒６６の回転とロック用仕切りバー３８の端部からのロックバー５６の伸縮とを連動させており、シリンダ錠６２に鍵をかけることによりロックバー５６を仕切りバー３８の端部から伸長させ、各係止孔５０，５４，５２にロックバー５６を挿入するようにしている。このため、シリンダ錠６２に鍵をかけることにより、移動仕切り１２のガイドレール１８，２０に沿う移動を阻止できる。
【００４６】
また、各階の乗降口周辺部に設けられたペット同乗中確認点灯部と、第１下側係止孔５４および第２下側係止孔にロックバー５６を挿入することに伴って作動するスイッチ８２とを備え、スイッチ８２の作動により図示しない各階のペット同乗中確認点灯部を点灯させるようにしている。このため、各階の乗降口の周辺部にいる人がエレベータかご１０にペット１６が乗っていることを、ペット同乗中確認点灯部の点灯で確認できる。しかも、上記の特許文献１に記載されたペット対応型マンション用エレベータの場合と異なり、ペット１６の運搬者が、ペット１６がエレベータかご１０に同乗していることを知らせるために、移動仕切り１２の移動とは別に、エレベータかご１０のコントロールパネルに設けたペット同乗表示用ボタンを押す等、コントロールパネルを操作する必要がない。このため、ペット嫌いの人や、別のペット連れの人がペット同乗中のエレベータかご１０に急に出くわすことを防止できる。
【００４７】
なお、本実施の形態の場合、シリンダ錠６２に鍵を入れて回転させることにより、ロック用仕切りバー３８の端部からのロックバー５６の伸縮を可能としているが、本発明はこのような構造に限定しない。例えば、内筒６６（図５、図６）の端部に、ドアに設けるサムターンのような、単なる摘み部を設けて、摘み部の回転により内筒６６を回転させ、カム係合部を介して、ロック用仕切りバー３８の端部からのロックバー５６の伸縮を可能としてもよい。
【００４８】
また、本実施の形態の場合、各階の乗降口周辺部に設けられたペット同乗中確認点灯部を備え、スイッチ８２の作動により各階のペット同乗中確認点灯部の点灯でエレベータかご１０にペット１６が乗っていることを知らせるようにしている。ただし、各階の乗降口周辺部に液晶表示部等のペット同乗中確認表示部を備え、スイッチ８２の作動により各階のペット同乗中確認表示部の表示でエレベータかご１０にペット１６が乗っていることを知らせるようにしてもよい。
【００４９】
また、本実施の形態の場合、移動仕切り１２をエレベータかご１０の外側から奥側孔部２８を通じて引き下ろすことにより、移動仕切り１２に仕切られたペット収納室１４を形成するようにしているが、本発明はこのような構造に限定するものでもない。例えば、ペット隔離用移動部材は、エレベータかご１０の下側で、外側に退避した状態から、底板部２９に設けた孔部を通じて鉛直方向に設けたガイドレールに沿ってペット隔離用移動部材を引き上げて、ペット隔離用移動部材により仕切られたペット収納室を形成することもできる。
【００５０】
また、ペット隔離用移動部材を横壁部２４（または２６）に設けた孔部を通じてエレベータかご１０の内側に横方向に引き出してペット収納室を形成することもできる。さらに、エレベータかご１０の内側でエレベータかご１０の奥側壁部２２の内面等、壁面に沿った部分にペット隔離用移動部材を退避させた状態から、乗降口側に引き出し、さらに引き下ろしてペット収納室を形成することもできる。
【図面の簡単な説明】
【００５１】
【図１】本発明の実施の形態において、エレベータかごの内側から外側に移動仕切りを退避させた状態を、一部を透視して示す略斜視図である。
【図２】エレベータかごの内側に移動仕切りを引き下ろして、ペット収納室にペットを収納した状態を、一部を透視して示す略斜視図である。
【図３】図２のＡ−Ａ断面図である。
【図４】エレベータかご外側に移動仕切りを退避させた状態での、図３のＢ−Ｂ断面相当図である。
【図５】ロック用仕切りバーのシリンダ錠および把手を含む部分の断面図である。
【図６】図５のＣ−Ｃ断面図である。
【符号の説明】
【００５２】
１０  エレベータかご、１２  移動仕切り、１４  ペット収納室、１６  ペット、１８  ガイドレール、２０  ガイドレール、２２  奥側壁部、２４  横壁部、２６  横壁部、２８  奥側孔部、２９  底板部、３０  側板部、３２  突壁部、３４  湾曲部、３６  塞ぎ部、３８  ロック用仕切りバー、４０  仕切りバー、４２  連結部材、４４  中間幹部、４６  リング部、４８  固定リング、５０  第１上側係止孔、５２  第２上側係止孔、５４  第１下側係止孔、５６  ロックバー、５８  板部、６０  凹部、６２  シリンダ錠、６４  外筒、６６  内筒、６８  鍵口、７０  カム部材、７２  歯車、７４  歯車、７６  カム部、７８  把手、８０  孔部、８２  スイッチ。
【図１】
2008037577.tif 000003
【図２】
2008037577.tif 000004
【図３】
2008037577.tif 000005
【図４】
2008037577.tif 000006
【図５】
2008037577.tif 000007
【図６】
2008037577.tif 000008